(57)【特許請求の範囲】
【請求項１】
温度を検出する温度検出部と、
前記温度検出部が検出した温度に基づいて所定の処理を実行する制御部と、を備え、
前記制御部は、予め定められた第１の期間毎に前記温度検出部が検出した温度を取得し、
前記取得した温度と基準温度との差が予め定めされた値より小さい場合には、前記取得した温度に基づいて前記所定の処理を実行し、かつ、前記取得した温度を前記基準温度とし、
前記取得した温度と基準温度との差が予め定めされた値以上である場合には、前記所定の処理を実行せず、かつ、前記取得した温度を前記基準温度としない、電子機器であって、
前記所定の処理は少なくともエラー処理を含み、該エラー処理は、電源部による電源供給を前記制御部の一部を除いて停止させ、スタンバイ状態に移行する処理である、電子機器。
【請求項２】
請求項１記載の電子機器において、
前記制御部は、前記所定の処理を実行しない期間が第２の期間より大きい場合、前記エラー処理を実行する、電子機器。
【請求項３】
請求項１または２記載の電子機器において、
前記制御部は、前記所定の処理を実行しない期間が第２の期間より大きい場合、前記所定の処理を実行する、電子機器。
【請求項４】
請求項２または３に記載の電子機器において、
前記取得した温度と前記基準温度との差が予め定めされた値以上であることを検出した回数を示す無効検出回数を記憶する記憶部を、さらに有し、
前記制御部は、前記第１の期間毎に、前記取得した温度と前記基準温度との差が予め定めされた値以上であることを検出すると、前記無効検出回数を１つインクリメントし、前記取得した温度と前記基準温度との差が予め定めされた値より小さいことを検出すると、前記無検出回数を０にリセットし、
前記所定の処理を実行しない期間が前記無効検出回数によって決まる、電子機器。
【請求項５】
請求項１ないし４のいずれかに記載の電子機器において、
冷却ファンを備え、
前記所定の処理は、前記冷却ファンの送風量を制御する処理を含む電子機器。
【請求項６】
請求項１ないし５のいずれかに記載の電子機器において、
光源を備え、
前記所定の処理は前記光源の光量を制御する処理を含む電子機器。
【請求項７】
請求項１ないし６のいずれかに記載の電子機器において、
入力された映像信号に対応する映像を表示する表示部を備え、
前記エラー処理は、前記表示部の表示を行わないスタンバイ状態に移行する処理である電子機器。
【請求項８】
請求項６に記載の電子機器において、
前記エラー処理は、前記光源を消灯するスタンバイ状態に移行する処理である電子機器。
【請求項９】
温度を検出する温度検出部と、前記温度検出部が検出した温度に基づいて所定の処理を実行する制御部と、を備えた電子機器で行われる制御方法であって、
前記制御部は、
予め定められた第１の期間毎に前記温度検出部が検出した温度を取得し、
前記取得した温度と基準温度との差が予め定めされた値より小さい場合には、前記取得した温度に基づいて前記所定の処理を実行し、かつ、前記取得した温度を前記基準温度とし、
前記取得した温度と基準温度との差が予め定めされた値以上である場合には、前記所定の処理を実行せず、かつ、前記取得した温度を前記基準温度とせず、
前記所定の処理は少なくともエラー処理を含み、該エラー処理は、電源部による電源供給を前記制御部の一部を除いて停止させ、スタンバイ状態に移行する処理である、制御方法。
【請求項１０】
温度を検出する温度検出部とコンピュータを備えた電子機器の前記コンピュータを、
前記温度検出部が検出した温度に基づいて所定の処理を実行し、予め定められた第１の期間毎に前記温度検出部が検出した温度を取得し、前記取得した温度と基準温度との差が予め定めされた値より小さい場合には、前記取得した温度に基づいて前記所定の処理を実行し、かつ、前記取得した温度を前記基準温度とし、前記取得した温度と基準温度との差が予め定めされた値以上である場合には、前記所定の処理を実行せず、かつ、前記取得した温度を前記基準温度としない制御部として機能させるためのプログラムであって、
前記所定の処理は少なくともエラー処理を含み、該エラー処理は、電源部による電源供給を前記制御部の一部を除いて停止させ、スタンバイ状態に移行する処理である、プログラム。
【発明の詳細な説明】
【技術分野】
【０００１】
本発明は、温度センサを備え、該温度センサにより検出された温度に応じた制御が行われる電子機器に関する。
【背景技術】
【０００２】
電子機器では、装置が異常な状態で継続して使用され、最終的に破壊されることを防ぐために、装置の状態をさまざまなセンサで検出している。異常な状態での使用の一つには高温下での使用が挙げられ、高温下での使用を検出するためのセンサとして温度センサが挙げられる。特許文献１には、温度センサにより装置温度を検出し、装置温度が予め設定された状態を超えたか否かにより温度異常と判断することが開示されている。
【０００３】
図４はこの種の制御が行われる電子機器４００の要部構成を示すブロック図である。
【０００４】
図３には、電子機器４００への電源供給を行う電源部４０１、制御部４０２、光源部４０３が示されている。電源部４０１は冷却ファン４０４および温度検出部４０５を備え、光源部４０３は冷却ファン４０６および温度検出部４０７を備えている。
【０００５】
制御部４０２には、各温度検出部４０５，４０７から検出した温度を示す信号が出力されており、制御部４０２は各検出温度に応じた制御を行う。例えば、制御部４０２は、温度検出部４０７が検出した温度が所定温度以上に上昇した過熱状態にあるか否かを判定し、過熱状態にある場合には光源の電源を遮断する制御を行う。
【先行技術文献】
【特許文献】
【０００６】
【特許文献１】特開平０７−３３３５７１号公報
【発明の概要】
【発明が解決しようとする課題】
【０００７】
上記の制御では、温度センサが検出した温度を監視し、規定された温度以上になった場合にシステムをスタンバイ状態に移行していた。
【０００８】
しかしながら、トランシーバーの送信時など、一定時間連続的にノイズが発生する場合など、誤検出する場合があった。図４に示した例では、正常な温度状況下でも誤検出した温度によって光源の電源を遮断する制御が行われてしまい、異常な制御が行われることとなる。
【０００９】
本発明は、温度センサの検出結果に応じてスタンバイ状態に移行する電子機器であって、一定時間連続的にノイズが発生しても誤検出が発生することがなく、正常な制御を行うことのできる電子機器を実現する。
【課題を解決するための手段】
【００１０】
本発明の、電子機器は、
温度を検出する温度検出部と、
前記温度検出部が検出した温度に基づいて所定の処理を実行する制御部と、を備え、
前記制御部は、予め定められた第１の期間毎に前記温度検出部が検出した温度を取得し、
前記取得した温度と基準温度との差が予め定めされた値より小さい場合には、前記取得した温度に基づいて前記所定の処理を実行し、かつ、前記取得した温度を前記基準温度とし、
前記取得した温度と基準温度との差が予め定めされた値より大きい場合には、前記所定の処理を実行しない。
【００１１】
本発明の制御方法は、
温度を検出する温度検出部と、前記温度検出部が検出した温度に基づいて所定の処理を実行する制御部と、を備えた電子機器で行われる制御方法であって、
前記制御部は、
予め定められた第１の期間毎に前記温度検出部が検出した温度を取得し、
前記取得した温度と基準温度との差が予め定めされた値より小さい場合には、前記取得した温度に基づいて前記所定の処理を実行し、かつ、前記取得した温度を前記基準温度とし、
前記取得した温度と基準温度との差が予め定めされた値より大きい場合には、前記所定の処理を実行しない。
【００１２】
本発明のプログラムは、
温度を検出する温度検出部とコンピュータを備えた電子機器に適用されるプログラムであって、
前記コンピュータを、
前記温度検出部が検出した温度に基づいて所定の処理を実行し、予め定められた第１の期間毎に前記温度検出部が検出した温度を取得し、前記取得した温度と基準温度との差が予め定めされた値より小さい場合には、前記取得した温度に基づいて前記所定の処理を実行し、かつ、前記取得した温度を前記基準温度とし、前記取得した温度と基準温度との差が予め定めされた値より大きい場合には、前記所定の処理を実行しない制御部として機能させる。
【発明の効果】
【００１３】
上記のように構成される本発明では、一定時間連続的にノイズが発生しても誤検出が発生することがなく、正常な制御が行われる。
【図面の簡単な説明】
【００１４】
【図１】本発明による電子機器の一実施形態の構成を示すブロック図である。
【図２】図１に示した実施形態の制御動作を示すフローチャートである。
【図３】図１に示した実施形態の制御動作を示すフローチャートである。
【図４】電子機器の構成を示すブロック図である。
【発明を実施するための形態】
【００１５】
次に、本発明の実施形態について図面を参照して説明する。
【００１６】
図１は本発明による電子機器の一実施形態の構成を示すブロック図、図２および図３はその制御動作を示すフローチャートである。図１には、電子機器１００への電源供給を行う電源部１０１、制御部１０２、光源部１０３、冷却ファン１０４、冷却ファン１０６が示されている。電源部１０１は温度検出部１０５を備え、光源部１０３は温度検出部１０７を備えている。制御部１０２は記憶部１０８を備えている。
【００１７】
電子機器１００は、例えば、ディスプレイもしくはプロジェクタなどの表示装置である。電子機器１００がディスプレイである場合には、電源部１０１、光源部１０３の他に、画像を形成する液晶パネルやＬＥＤパネルなどの表示部が備えられる。光源部１０３は、例えば、レーザ、ＬＥＤ、ランプ等を用いたバックライト光源が備えられる。冷却ファン１０４、１０６は、電子機器１００の所定の位置に配置され、電子機器１００の内部温度、または、電子機器１００の内部に配置される部品の温度が適切な温度になるように制御される。
【００１８】
電子機器１００がプロジェクタである場合には、電源部１０１、光源部１０３の他に、画像を形成する表示素子を備えた表示部や、形成された画像を投写する投写部が備えられる。光源部１０３は、例えば、レーザ、ＬＥＤ、ランプ等を用いた光源が備えられる。表示素子には、反射もしくは透過型の液晶パネルやＤＭＤ（Ｄｉｇｉｔａｌ  Ｍｉｒｒｏｒ  Ｄｅｖｉｃｅ）が用いられる。
【００１９】
表示部は、入力される映像信号に対応した映像を表示する。光源は、表示部に形成された映像を表示するための光を出射する。
【００２０】
記憶部１０８は、本実施形態の制御で用いられる基準温度（Ｔ０１、Ｔ０２）、誤検出の疑いのある温度を規定する温度差閾値、無効検出回数（ＨＯＬＤｃｎｔ１、ＨＯＬＤｃｎｔ２）、無効検出回数の既定値を記憶する。以下に図２を参照して本実施形態の制御動作について説明する。
【００２１】
制御部１０２は、温度検出部１０５，１０７が検出した温度に基づいて制御を定期的に実行している。つまり、制御部１０２は、予め定められた第１の期間毎に温度検出部１０５，１０７が検出した温度を取得し、取得した温度に基づいて制御を実行している。温度検出部１０５からの信号を用いた制御について図２を用いて説明する。なお、温度検出部１０７からの信号を用いた制御は、温度検出部１０５からの信号を用いた制御と同様である。まず、温度検出部２０５からの信号が示す検出温度Ｔｎ１（温度検出部１０７からの信号が示す検出温度Ｔｎ２）を取得する（ステップ２０１）。以降、検出温度として区別する必要がない場合は、単にＴｎと記載することもある。次に、検出温度Ｔｎ１（Ｔｎ２）と記憶部１０８に記憶されている、温度検出部１０５（温度検出部１０７）に対応する基準温度Ｔ０１（Ｔ０２）の差が所定の閾値以上であるかを確認する（ステップ２０２）。以降、基準温度として区別する必要がない場合は、単にＴ０と記載することもある。
【００２２】
ステップ２０２において、検出温度Ｔｎ１（Ｔｎ２）と基準温度Ｔ０１（Ｔ０２）の差が温度差閾値以上でないことが確認された場合には、検出温度Ｔｎ１（Ｔｎ２）が有効なものであるとし、記憶部１０８に記憶されている基準温度Ｔ０１（Ｔ０２）を検出温度Ｔｎ１（Ｔｎ２）に更新する（ステップ２０３）。
また、記憶部１０８に記憶されている、温度検出部１０５（温度検出部１０７）に対応する無効検出回数（ＨＯＬＤｃｎｔ１（ＨＯＬＤｃｎｔ２））がリセットされて０とされ（ステップ２０７）、検出した温度Ｔｎ１（Ｔｎ２）に基づいて所定の処理を実行する。
【００２３】
ステップ２０２において検出温度Ｔｎ１（Ｔｎ２）と基準温度Ｔ０１（Ｔ０２）の差が温度差閾値以上であることが確認された場合には検出温度Ｔｎ１（Ｔｎ２）が無効なものであるとし、記憶部１０８に記憶されている無効検出回数（ＨＯＬＤｃｎｔ１（ＨＯＬＤｃｎｔ２））に１を加算し（ステップ２１１）、その後、無効検出回数が既定値以上であるかを確認することによって最大保留時間が経過しているかを確認する（ステップ２１２）。最大保留時間は、第２の期間の一例である。
【００２４】
ステップ２１２において、無効検出回数が既定値以上であることが確認された場合には、検出した温度Ｔｎ１（Ｔｎ２）に基づいて所定の処理を実行する。
【００２５】
所定の処理の実行温度ＴＡ１（ＴＡ２）、ＴＢ１（ＴＢ２）、ＴＣ１（ＴＣ２）はＴＡ１（ＴＡ２）＞ＴＢ１（ＴＢ２）＞ＴＣ１（ＴＣ２）の関係にあり、ＴＡ１（ＴＡ２）は例えば動作が保証される最高温度である。ステップ２０４において、検出温度Ｔｎ１（Ｔｎ２）が所定の処理の実行温度ＴＡ１（ＴＡ２）よりも高いものであることが確認された場合、制御部１０２は温度検出部１０５（温度検出部１０７）に対応するスタンバイ移行処理フラグ１（スタンバイ移行処理フラグ２）を有効にする（ステップ２０８）。
【００２６】
ステップ２０５において、検出温度Ｔｎ１（Ｔｎ２）が所定の処理の実行温度ＴＢ１（ＴＢ２）よりも高いものであることが確認された場合、制御部１０２は温度検出部１０５（温度検出部１０７）に対応する光源部制御処理フラグ１（光源部制御処理フラグ２）を有効にする（ステップ２０９）。
【００２７】
ステップ２０６において、検出温度Ｔｎ１（Ｔｎ２）が所定の処理の実行温度ＴＣ１（ＴＣ２）よりも高いものであることが確認された場合、制御部１０２は温度検出部１０５（温度検出部１０７）に対応する冷却ファン制御処理フラグ１（冷却ファン制御処理フラグ２）を有効にする（ステップ２１０）。
【００２８】
ステップ２０６の実行後、ステップ２０８〜２１０における各処理の実行後、もしくは、ステップ２１２において無効検出回数が既定値以上でないことが確認された場合には、所定時間経過後に上記の各ステップが繰り返し実行される。
【００２９】
以下に図３を参照して本実施形態の制御動作について説明する。
ステップ３０１において、スタンバイ移行処理フラグ１またはスタンバイ移行処理フラグ２が有効であることが確認された場合、制御部１０２はスタンバイ移行処理を実行する（ステップ３０４）。
【００３０】
ステップ３０２において、光源部制御処理フラグ１または光源部制御処理フラグ２が有効であることが確認された場合、制御部１０２は光源部制御処理を実行する（ステップ３０５）。
【００３１】
ステップ３０３において、冷却ファン制御処理フラグ１または冷却ファン制御処理フラグ２が有効であることが確認された場合、制御部１０２は冷却ファン制御処理を実行する（ステップ３０６）。
【００３２】
ステップ３０４で行われるスタンバイ移行処理は、エラー処理であり、電源部１０１による電源供給を少なくとも制御部の一部を除いて停止させ、スタンバイ状態に移行する処理である。つまり、エラー処理は検出された温度に基づく所定の処理の一部である。この処理により、動作が保障される最高温度を超えて電子機器が動作することを防止することができる。例えば、スタンバイ移行処理は、電子機器１００が表示装置の場合、入力された映像を表示する表示部の表示を停止するスタンバイ状態に移行する処理である。また、例えば、スタンバイ移行処理は、電子機器１００が表示装置の場合、入力された映像を表示するための光源を消灯するスタンバイ状態に移行する処理である。また、ステップ３０５で行われる光源部制御処理は、光源部１０３に設けられる光源の輝度を下げることで発熱を抑制し、温度低下を試みる処理である。ステップ３０６で行われる冷却ファン制御処理は冷却ファン１０５、１０７の送風量を大きなものとし、放熱を促進させて温度低下を試みる処理である。また、停止している冷却ファン１０５、１０７を動作するようにしてもよい。
【００３３】
なお、Ｔｎ１がＴＢ１よりも低い温度であるＴＤ１よりも低い温度となり、かつ、Ｔｎ２がＴＢ２よりも低い温度であるＴＤ２よりも低い温度となったときに、光源部制御処理を停止するようにしてもよい。また、Ｔｎ１がＴＣ１よりも低い温度であるＴＥ１よりも低い温度となり、かつ、Ｔｎ２がＴＣ２よりも低い温度であるＴＥ２よりも低い温度となったときに、冷却ファン制御処理を停止するようにしてもよい。
【００３４】
上記のように構成される本実施形態の動作について、具体的な数値を当て嵌めて詳細に説明する。
【００３５】
ステップ２０１で実行される検出温度Ｔｎの取得が１秒ごとに行われ、ステップ２０２で確認される検出温度Ｔｎと記憶部１０８に記憶されている基準温度Ｔ０の差の閾値を１０℃とし、無効検出回数の既定値を３０として行われるものとする。
【００３６】
ステップ２０１で取得された検出温度Ｔｎは、前回の検出温度との差が１０℃以上でなければ正常な検出温度として扱われ、ステップ２０３にて基準温度Ｔ０として更新される。
【００３７】
ステップ２０１で取得された検出温度Ｔｎと前回の検出温度との差が１０℃以上である場合には、ノイズによる誤検出の可能性があるため、ステップ２１１にて無効検出回数（ＨＯＬＤｃｎｔ）に１が加算される。ステップ２１２では、無効検出回数が３０を超えたか否かが確認される。無効検出回数が３０以上であることは、記憶部１０８に記憶されている基準温度との差が１０℃の検出温度Ｔｎが３０秒以上継続して検出されたことを意味する。このような場合には、継続して発生するノイズによる誤検出ではないことが予想されるため、検出温度Ｔｎを以てステップ２０４〜２０６における確認処理、その結果に応じた制御処理が行われることとなる。
【００３８】
上述したように、本実施形態においては、検出温度Ｔｎの取得間隔と無効検出回数の既定値により最大保留時間が規定される。基準温度Ｔ０との温度差が温度差閾値を超える検出温度Ｔｎについては最大保留時間が経過した後に制御処理が行われるため、トランシーバーの送信時などに一定時間連続して発生するノイズによって誤検出することがあっても、その発生時間が最大保留時間以内であれば誤検出した温度による制御が行われることがなく、正常な制御が行われることとなる。
【００３９】
なお、最大保留時間は、検出温度Ｔｎの取得間隔と無効検出回数の最大数により規定されるが、この他の構成としてはＲＴＣ（ｒｅａｌ  ｔｉｍｅ  ｃｌｏｃｋ）を用いることが考えられる。基準温度Ｔ０との温度差が温度差閾値を超える検出温度Ｔｎが検出された場合にはＲＴＣにより所定時間が経過したことを確認した後に再度取得した検出温度Ｔｎにより制御を行うこととしてもよい。
【００４０】
また、本実施形態では、温度検出部を２つとしたが、１つまたは３以上の温度検出部を備えてもよい。
【００４１】
また、本実施形態では、冷却ファンを２つとしたが、１つまたは３以上の冷却ファンを備えてもよい。
【００４２】
また、冷却ファンの制御は、複数の冷却ファンを複数の温度検出部にそれぞれ対応させ、温度検出部に対応する冷却ファンをそれぞれ独立して制御するようにしてもよい。
【００４３】
また、本実施形態では、温度検出部が検出した温度に基づいて行う所定の処理をスタンバイ移行処理、光源部制御処理および冷却ファン制御処理としたが、これに限定されない。検出した温度に基づいて行う様々な制御に適用することができる。
【００４４】
また、本実施形態では、最大保留時間が経過していることが確認された場合には、検出した温度に基づいて所定の処理を実行するようにしたが、これに限定されない。例えば、最大保留時間が経過していることが確認された場合には、エラー処理を実行するようにしてもよい。これは、温度検出が適切に行うことができない環境であると判断することもできるからである。
【００４５】
また、制御部２０２は、ＣＰＵ（Ｃｅｎｔｒａｌ  Ｐｒｏｃｅｓｓｉｎｇ  Ｕｎｉｔ）を備えた、いわゆるコンピュータを用いて構成されるものであり、記憶部１０８に格納されるプログラムにより動作を行うものである。記憶部１０８に格納されるプログラムは、ネットワークを介して更新可能なものであり、ハードウェアが同じであってもプログラムを更新することにより本発明の構成とすることが可能であり、本発明にはプログラムも含まれる。
【符号の説明】
【００４６】
１００    電子機器
１０１    電源部
１０２    制御部
１０３    光源部
１０４、１０６    冷却ファン
１０５、１０７    温度検出部
１０８    記憶部
【図１】
0006744021.tif 000002
【図２】
0006744021.tif 000003
【図３】
0006744021.tif 000004
【図４】
0006744021.tif 000005